(57)【要約】要約課題  記憶媒体の記憶情報に基づき再生を行う第１再生手段と、記憶媒体の記憶情報に基づき再生を行う第２再生手段と、第１再生手段にて再生させる記憶媒体と第２再生手段にて再生させる記憶媒体とを挿入する１つの挿入口とを備え、第１再生手段及び第２再生手段の各々にて異なる記憶媒体を同時に再生動作可能に構成したので、挿入口の設置面のスペースを有効的に使用できる装置を得ることを目的とする。解決手段  記憶媒体の記憶情報に基づき再生を行う第１再生手段と、記憶媒体の記憶情報に基づき再生を行う第２再生手段と、第１再生手段にて再生させる記憶媒体と第２再生手段にて再生させる記憶媒体とを挿入する１つの挿入口とを備え、第１再生手段及び第２再生手段の各々にて異なる記憶媒体を同時に再生動作可能に構成したものである。選択図      図１４
2008078504.tif 000002
【特許請求の範囲】
【請求項１】
記憶媒体の記憶情報に基づき再生を行う第１再生手段と、
記憶媒体の記憶情報に基づき再生を行う第２再生手段と、
上記第１再生手段にて再生させる記憶媒体と上記第２再生手段にて再生させる記憶媒体とを挿入する１つの挿入口とを備え、
上記第１再生手段及び第２再生手段の各々にて異なる記憶媒体を同時に再生動作可能にしたことを特徴とする記憶媒体再生装置。
【請求項２】
第１再生手段は記憶媒体を再生する際、上記記憶媒体と略同平面上で回動動作を行うよう形成し、第２再生手段は装置の一部に固定したことを特徴とする請求項１記載の記憶媒体再生装置。
【請求項３】
第１再生手段は、記憶媒体の再生時に第２再生手段と略同軸上に配置されることを特徴とする請求項２記載の記憶媒体再生装置。
【請求項４】
第２再生手段は装置の底部に配置し、第１再生手段は上記第２再生手段よりも上方に配置したことを特徴とする請求項２または請求項３記載の記憶媒体再生装置。
【請求項５】
第１再生手段及び第２再生手段が再生していない記憶媒体を保持するとともに、上記第１再生手段及び第２再生手段の動作状態に基づき、再生動作時の記憶媒体の面に対して垂直方向へ移動させる移動機構を有した保持手段を設け、この保持手段は第１再生手段か第２再生手段かの少なくとも一方が再生を行う際、上記移動機構により上記保持手段を下方へ移動することを特徴とする請求項３または請求項４記載の記憶媒体再生装置。
【請求項６】
移動機構は、回動量に応じて保持手段の設定位置を規制する溝部を形成した棒状部材としたことを特徴とする請求項５記載の記憶媒体再生装置。
【請求項７】
移動機構は、保持手段を支持するよう上記保持手段の複数箇所に配設され、ディスクの挿入を待機する状態の際は、上記保持手段の支持位置の高さに差を設け、移動機構のディスク当接面を挿入口側に傾斜することを特徴とする請求項６記載の記憶媒体再生装置。
【請求項８】
第１再生手段の再生動作により得られた記憶媒体の再生情報を記憶し出力する記憶手段を設け、第１再生手段が再生動作中に、第２再生手段に搭載された記憶媒体を排出する際は、上記第１再生手段の再生動作を一旦中断して上記第１再生手段の再生媒体を挿入口の高さより上方へ移動させた後に排出させるとともに上記第１再生手段が動作中断中も上記記憶手段から上記再生情報の出力を継続することを特徴とする請求項４乃至請求項７のいずれかに記載の記憶媒体再生装置。
【発明の詳細な説明】
【技術分野】
【０００１】
この発明は、２つの記憶媒体を同時に再生可能な記憶媒体再生装置、特に２枚のＣＤやＤＶＤ等のディスクを２つの再生部にて同時再生可能にする記憶媒体再生装置に関するものである。
【背景技術】
【０００２】
従来、この種の記憶媒体再生装置は、例えば特許文献１に示されるように、装置内部に３．５インチのディスクと５インチのディスクと各々異なる種類のディスクを再生する２つの再生部を設け、これら再生部に対応した３．５インチのディスクと５インチのディスクの挿入口を設けている。【０００３】
【特許文献１】特開平１−１５０２７１号公報（図１）
【発明の開示】
【発明が解決しようとする課題】
【０００４】
従来の記憶媒体再生装置は、特許文献１に記載されているように、装置内部に３．５インチのディスクと５インチのディスクと各々異なる種類のディスクを再生する２つの再生部を設け、これら再生部に対応した３．５インチのディスクと５インチのディスクの挿入口を複数設けているため、挿入口が形成される面に表示部を設ける際、挿入口の設置数が多いほど設置スペースを確保することが難しいという課題があった。
また、挿入口の数が多いと塵埃が装置内に入りやすくなり、動作不良等の原因になりやすいという課題があった。【０００５】
さらに、２つの再生部は各々独立しているため、部品の共通化ができず、コスト削減や省スペース化を図ることができないという課題があった。【０００６】
この発明は、上記のような課題を解消するためになされたもので、複数のディスクの共通挿入口として１つの挿入口を設け、この挿入口から挿入された複数のディスクを装置内の複数の再生手段にて同時に再生動作させることで、複数のディスクを同時再生しつつ、挿入口の設置面のスペースを有効的に使用できる装置を得ることを目的としている。
【課題を解決するための手段】
【０００７】
この発明に係る記憶媒体再生装置は、記憶媒体の記憶情報に基づき再生を行う第１再生手段と、記憶媒体の記憶情報に基づき再生を行う第２再生手段と、第１再生手段にて再生させる記憶媒体と第２再生手段にて再生させる記憶媒体とを挿入する１つの挿入口とを備え、第１再生手段及び第２再生手段の各々にて異なる記憶媒体を同時に再生動作可能にしたものである。
【発明の効果】
【０００８】
この発明によれば、記憶媒体の記憶情報に基づき再生を行う第１再生手段と、記憶媒体の記憶情報に基づき再生を行う第２再生手段と、第１再生手段にて再生させる記憶媒体と第２再生手段にて再生させる記憶媒体とを挿入する１つの挿入口とを備え、第１再生手段及び第２再生手段の各々にて異なる記憶媒体を同時に再生動作可能に構成したので、挿入口の設置面のスペースを有効的に使用できる。
【図面の簡単な説明】
【０００９】
【図１】装置本体の概略構成を示す側面概略構成図である。
【図２】装置本体の概略構成を示す上面概略構成図である。
【図３】図１の概略構成における要部の動作状態を示す動作状態説明図である。
【図４】図１の概略構成における要部の動作状態を示す動作状態説明図である。
【図５】図１の概略構成における要部の動作状態を示す動作状態説明図である。
【図６】図１の概略構成における要部の動作状態を示す動作状態説明図である。
【図７】図１の概略構成における要部の動作状態を示す動作状態説明図である。
【図８】図７の動作状態における上方から装置内部を示す動作状態説明図である。
【図９】図１の概略構成における要部の動作状態を示す動作状態説明図である。
【図１０】装置本体の外観斜視図である。
【図１１】装置本体の天板を取り外して内部を示す装置右前方からの斜視図である。
【図１２】装置本体の天板と前面板及び右側面板を取り外して内部を示す装置右前方からの斜視図である。
【図１３】装置本体の天板を逆さにした際の天板の斜視図である。
【図１４】装置本体の天板を取り外して内部を示す装置右前方からの斜視図である。
【図１５】装置要部の動作状態を示す左側側面図である。
【図１６】装置要部を展開した際の展開図である。
【図１７】装置要部の動作モードごとの動作状態を示す動作状態遷移表である。
【図１８】装置要部の動作状態を示す左側側面図である。
【図１９】装置要部の動作状態を示す左側側面図である。
【図２０】装置要部の動作状態を示す左側側面図である。
【図２１】装置要部の動作状態を示す左側側面図である。
【図２２】装置要部の動作状態を示す左側側面図である。
【図２３】装置要部の動作状態を示す左側側面図である。
【図２４】装置要部の動作状態を示す左側側面図である。
【図２５】装置要部の動作状態を示す左側側面図である。
【符号の説明】
【００１０】
１００  デッキシャーシ、  １０１  挿入口、  １０２  天板、  ２００  上側再生部、２０１  ピックアップ部、  ２０２  ターンテーブル、  ２０４  ダンパー、
２０５  上側再生ベース、  ２１０  振り出しベース、  ２１１  回動ベース、
２１２  回動支軸、  ２１３  振り出しベース、  ２２０  振り出し機構部、
２２５  振り出しレバー、  ３００  下側再生部、  ３０１  ピックアップ部、
３０２  ターンテーブル、  ３０４  ダンパー、  ３０５  下側再生ベース、
４００  ディスク搬送トレー部（保持手段）、  ４１０  上側再生用ディスク搬送トレー、  ４１１  板バネ、
４１２  板バネ、  ４２０  下側再生用ディスク搬送トレー、  ４２１  板バネ、  ４２２  板バネ、
５００  移動機構、  ５１０  第１スクリュー部、  ５１０１〜５１０３  カム溝水平部、
５１０４〜５１０５  カム溝水平部、  ５１１１〜５１１３  カム溝水平部、
５２０  第２スクリュー部、  ５２０１〜５２０３  カム溝水平部、
５２０４〜５２０５  カム溝水平部、  ５２１１〜５２１３  カム溝水平部
【発明を実施するための最良の形態】
【００１１】
以下、この発明をより詳細に説述するために、この発明を実施するための最良の形態について、添付の図面に従ってこれを説明する。
実施の形態１．
本実施の形態１においては、本装置全体の概略構成及び概略動作について説明し、続いて各構成及び動作について説明する。
図１及び図２は、本発明の実施の形態１に係る記憶媒体再生装置の概略構成を示す概略構成図であり、図１は記憶媒体再生装置の側面断面図、図２は記憶媒体再生装置の上面断面図である。【００１２】
図において、本発明に係るディスク再生装置は、デッキシャーシ１００と上側再生部２００と下側再生部３００とディスク搬送トレー部４００とから構成されている。
まず、１００は筐体としてのデッキシャーシ、１０１はデッキシャーシ１００の一部を切り欠いて形成され、記憶媒体としてのディスクを装置内外へ挿入／排出する挿入口である。【００１３】
次に、２００は挿入口１０１から挿入されたディスクを再生する第１再生手段としての上側再生部であり、ディスクの記憶情報を読み取るピックアップ部２０１と、ディスクを載置して回転するターンテーブル２０２と、このターンテーブル２０２を回転駆動させる駆動部２０３と、上側再生部２００をＡ１またはＡ２方向へ回動動作させ、上側再生部２００に含まれる振り出しベース２１０と、上述したピックアップ部２０１、ターンテーブル２０２、駆動部２０３を配設した上側再生ベース２０５と、防振機能を有するダンパー２０４とで構成されている。【００１４】
また、振り出しベース２１０と、上側再生ベース２０５は、再生時以外はロック部材（図示せず）により係合し、再生時はダンパー２０４を介して接続されている。
上側再生部２００は、ディスク面と略同一面上でＡ１方向または逆方向であるＡ２方向に回動動作可能に形成されており、ディスク再生時にはＡ１方向に回動し、ディスク再生時以外にはＡ２方向に回動する。【００１５】
３００は挿入口１０１から挿入されたディスクを再生するとともに、上側再生部２００より下方に配設された第２再生手段としての下側再生部であり、上側再生部２００と同様にディスクの記憶情報を読み取るピックアップ部３０１と、ディスクを載置して回転するターンテーブル３０２と、このターンテーブル３０２を回転駆動させる駆動部３０３と上述したピックアップ部３０１、ターンテーブル３０２、駆動部３０３を配設した下側再生ベース３０５と、下側再生部３００の防振機能を有するダンパー３０４を設け、このダンパー３０４は一部がデッキシャーシ１００の底部に固定されており、上側再生部２００のようには回動動作しないよう配設されている。
また、デッキシャーシ１００と下側再生ベース３０５は、再生時以外はロック部材（図示せず）により係合し、再生時はダンパー３０４を介して接続されている。【００１６】
４００は上側再生部２００及び下側再生部３００が再生していないディスクを保持するとともに、上側再生部２００及び下側再生部３００の動作状態に基づき、再生動作時のディスク面に対して垂直方向へ移動させる移動機構を有した保持手段としてのディスク搬送トレー部であり、このディスク搬送トレー部４００は上側再生部２００にて再生させるディスクＤ１を搬送する第１トレーとしての上側再生用ディスク搬送トレー４１０と、下側再生部３００にて再生させるディスクＤ２を搬送する第２トレーとしての下側再生用ディスク搬送トレー４２０とを有している。【００１７】
このディスク搬送トレー部４００は移動機構により、図１のＢ１方向またはＢ２方向へ移動可能に構成されており、上側再生用ディスク搬送トレー４１０及び下側再生用ディスク搬送トレー４２０は上方向（Ｂ１方向）または下方向（Ｂ２方向）に移動する。なお、Ｄ１及びＤ２は搬送途中のディスクである。【００１８】
また、図３は下側再生部３００でディスクを再生するために下側再生用ディスク搬送トレー４２０にディスクＤ２が挿入された状態を示したものである。
図において、Ｄ２は搬送途中のディスクを示しており、下側再生用ディスク搬送トレー４２０は、下側再生用ディスク搬送トレー４２０にディスクＤ２が入りやすいように挿入口側を下側に傾けた状態にする。【００１９】
次に、図４は下側再生部３００にディスクＤ２を搭載して再生を行うとともに、上側再生部２００においてもディスクＤ１を再生するために上側再生用ディスク搬送トレー４１０にディスクＤ１が入りやいように挿入口側を下側に傾けた状態を示したものである。
図において、ディスクＤ２を載置した下側再生用ディスク搬送トレー４２０は図３の状態より下方へ移動し、ターンテーブル３０２にディスクＤ２が載置された後、更に下側再生用ディスク搬送トレー４２０が下方へ移動することにより、ディスクＤ２と下側再生部３００から離れる。
これにより、下側再生部３００は外部振動の伝達を緩和するダンパー３０４を介してデッキシャーシ１００とのみ接続され、下側再生用ディスク搬送トレー４２０とは完全に分離される。【００２０】
図５は上側再生部２００でディスクＤ１を再生するために上側再生用ディスク搬送トレー４１０にディスクＤ１を保持した状態を示したものである。
図において、図４の動作を経て上側再生用ディスク搬送トレー４１０にディスクＤ１が保持されたため、上側再生用ディスク搬送トレー４１０は、挿入口１０１側に対して下側に傾けた状態から下側再生用ディスク搬送トレー４２０と平行な状態である元の状態に戻した状態にする。【００２１】
図６は上側再生部２００が再生のために、デッキシャーシ１００の側方側に退避していた箇所から再生位置まで回動動作した状態を示したものである。
図において、ディスクＤ１を載置した上側再生用ディスク搬送トレー４１０は図５に示すように上方に移動した状態のまま、上側再生部２００のターンテーブル２０２と、下側再生部３００のターンテーブル３０２とが同軸上に位置するようディスク面と同平面上にて回動し停止した状態である。【００２２】
図７は上側再生部２００がディスクＤ１を再生している状態を示し、図８は図７の状態における上面断面図である。
図において、ディスクＤ１を載置した上側再生用ディスク搬送トレー４１０が下側に移動し、ターンテーブル２０２にディスクＤ１が載置された後、更に上側再生用ディスク搬送トレー４１０が下側に移動することにより、ディスクＤ１と上側再生部２００から離れる。
これにより、振り出しベース２１０は外部振動の伝達を緩和するダンパー２０４を介して上側再生ベース２０５とのみ接続され、上側再生用ディスク搬送トレー４１０とは完全に分離される状態になる。【００２３】
図９は下側再生部３００のターンテーブル３０２に載置されたディスクＤ２を排出する状態を示しており、上側再生用ディスク搬送トレー４１０にディスクＤ１を載置したまま下側再生用ディスク搬送トレー４２０を図３の状態まで上昇させてディスクＤ２を排出する。【００２４】
ここで、上側再生部２００はディスクＤ２を排出する際、ディスクＤ２を排出するための搬送路を確保するために、動作再生動作を一旦中断してデッキシャーシ１００の上方へディスクＤ１とともに上側再生用ディスク搬送トレー４１０を移動させるように構成されている。
このため、上側再生部２００の再生動作を中断しても所定時間は再生信号が出力なされるよう記憶手段としてのショックプルーフメモリを設けることで、ディスクＤ２の排出後は、上側再生用ディスク搬送トレー４１０が図７の状態まで下降して上側再生部２００の再生を続けることが可能になる。【００２５】
なお、このメモリは、ディスクＤ１のデータ容量が少なければ、小さい容量のメモリで対応可能なため、ディスクのデータ容量の大きさに基づき、下側再生部３００での再生対象ディスクをＤＶＤ等の大容量メディアとし、上側再生部２００での再生対象ディスクをＤＶＤ等の大容量メディアより小容量メディアであるＣＤ等とすることで、コストを安くでき、下側再生部３００に載置されたディスクを排出する際にも上側再生部２００にて再生中の再生信号を継続して出力することができるように構成されている。【００２６】
この記憶媒体再生装置の基本的な構成及び動作は、上述のとおりであり、以下、上述した構成及び動作について詳しく説明する。
図１０は本装置の全体斜視図であり、図１１は本装置のデッキシャーシ１００上面の天板１０２を取り外した状態の要部斜視図、図１２は図１１の前面部と右側面部のデッキシャーシ１００を取り外した状態の要部斜視図、図１３はデッキシャーシ１００の天板１０２を装置内部側から見た要部斜視図である。
また、図１４は図１１と図１３の各々の要部の接続関係を示す要部斜視図であり、図１５は保持手段や移動機構等の要部を示す要部側面図である。【００２７】
図において、１００は筐体としてのデッキシャーシ、２００は第１再生手段としての上側再生部、３００は第２再生手段としての下側再生部である。
まず、下側再生部３００には、ディスクのデータを読み取るピックアップ部３０１と、再生時にディスクを駆動部３０３の駆動力によって回転させるターンテーブル３０２と、ピックアップ部３０１とターンテーブル３０２とを支持する下側再生ベース３０５と、下側再生ベース３０５に外部振動を伝達しないようにするためのダンパー３０４が設けられ、このダンパー３０４はデッキシャーシ１００に固定されている。【００２８】
上側再生部２００において、２１２はデッキシャーシ１００に設けられ、上側再生部２００を図２のＡ１，Ａ２の両方向へ回動させる回動支軸である。上側再生部２００には、再生時にディスクを回転させるターンテーブル２０２と、ディスクデータを読み取るピックアップ部２０１と、ターンテーブル２０２とピックアップ部２０１を支持する上側再生ベース２０５と、回動支軸２１２に係合し、ロック部材（図示せず）を介して上側再生ベース２０５を回動させるための振り出しベース２１０と、上側再生ベース２０５に外部振動を伝達しないようにするためのダンパー２０４が設けられ、このダンパー２０４は振り出しベース２１０に固定されている。【００２９】
２２０は振り出しベース２１０に係合し、上側再生ベース２０５を図２のＡ１またはＡ２方向へ回動動作させる振り出し機構部であり、この振り出し機構部２２０は、モータ２２１と、このモータ２２１の駆動力を伝達するためのギア連２２２と、このギア連２２２に噛み合うカムギア２２３と、このカムギア２２３に係合するレバー２２４と、このレバー２２４と振り出しベース２１０に係合し、上側再生部２００を振り出すための振り出しレバー２２５とで構成されている。【００３０】
また、４００は、デッキシャーシ１００の天板１０２の装置内方側に構成された保持手段としてのディスク搬送トレー部であり、このディスク搬送トレー部４００は、上側再生部２００にて再生させるディスクと下側再生部３００にて再生させるディスクとをこれら上側再生部２００及び下側再生部３００の動作状態に基づき、再生動作時のディスク面に対して垂直方向、即ち図２のＢ１またはＢ２方向へ移動させる移動機構５００を有したものである。【００３１】
このディスク搬送トレー部４００には、上側再生部２００にて再生させるディスクを搬送・保持するための上側再生用ディスク搬送トレーとしての上側再生用ディスク搬送トレー４１０と、下側再生部３００にて再生させるディスクを搬送・保持するための下側再生用ディスク搬送トレーとしての下側再生用ディスク搬送トレー４２０と、これら上側再生用ディスク搬送トレー４１０及び下側再生用ディスク搬送トレー４２０に挿入されたディスクを保持するために、上側再生用ディスク搬送トレー４１０に固定された板バネ４１１，４１２と、下側再生用ディスク搬送トレー４２０に固定された板バネ４２１，４２２を備えている。
この板バネ４１１，４１２，４２１，４２２は、ディスクの再生、ディスク挿入時以外は板バネ４１１，４１２，４２１，４２２でディスクを付勢している。【００３２】
また、ディスク搬送トレー部４００には、図１２に示すカムギア２２３にリンク（図示せず）を介して、ディスク再生、挿入時に板バネ４１１，４１２，４２１，４２２を上方に移動させるためのプレート４０５、４０６と、ディスク搬送トレー部４００を図２のＢ１またはＢ２方向へ移動させる移動機構５００として、上側再生用ディスク搬送トレー４１０及び下側再生用ディスク搬送トレー４２０の各々の凸部に係合し、回転することにより上側再生用ディスク搬送トレー４１０及び下側再生用ディスク搬送トレー４２０の高さを変化させる第１スクリュー部５１０と、ディスク搬送トレー部４００を図２のＢ１またはＢ２方向へ移動させる移動機構５００として、上側再生用ディスク搬送トレー４１０及び下側再生用ディスク搬送トレー４２０の凸部に係合し、回転することにより上側再生用ディスク搬送トレー４１０及び下側再生用ディスク搬送トレー４２０の高さを変化させる第２スクリュー部５２０とが備えられている。【００３３】
なお、上側再生用ディスク搬送トレー４１０及び下側再生用ディスク搬送トレー４２０は三日月状に形成されており、第１スクリュー部５１０は挿入口より奥側の２箇所に配置され、第２スクリュー部５２０は第１スクリュー部５１０より挿入口側に１箇所配置されており、この第２スクリュー部５２０は、ディスクローディング時に、上側再生用ディスク搬送トレー４１０または下側再生用ディスク搬送トレー４２０をディスク挿入方向下側に傾けることでディスクを挿入しやすくする、ディスク誘いを行うために第１スクリュー部５１０と異なるカム形状が形成されている。【００３４】
また、ディスク搬送トレー部４００には、上側再生用ディスク搬送トレー４１０及び下側再生用ディスク搬送トレー４２０のＢ方向への移動動作である上下動作を安定させるためのガイドシャフト４０７も有しており、このガイドシャフト４０７は第１スクリュー部５１０と第２スクリュー部５２０の近傍に４０７１〜４０７３の３本が設けられている。【００３５】
また、ディスク搬送トレー部４００には、第１スクリュー部５１０及び第２スクリュー部５２０を回転させるためのモータ４０８と、このモータ４０８の駆動力を伝達するためのギア連４０９と、このギア連４０９に噛合して第１スクリュー部５１０及び第２スクリュー部５２０に駆動力を伝達し、これら第１スクリュー部５１０及び第２スクリュー部５２０の３本のスクリュー部を回転させる際の同期を取るためのリングギア４３０とが備えられている。【００３６】
次に、移動機構５００について説明する。
図１６は、移動機構５００としての第１スクリュー部５１０及び第２スクリュー部５２０の要部説明図である。
図１５において、移動機構５００である第１スクリュー部５１０と第２スクリュー部５２０の下側（図中の下側）にそれぞれ３本の下側水平溝としてのカム溝水平部５１０１、５１０２、５１０３及び５２０１、５２０２、５２０３が形成されており、第１スクリュー部５１０と第２スクリュー部５２０の上側（図中の上側）に２本の上側水平溝としてのカム溝水平部５１０４、５１０５及び５２０４、５２０５が形成されている。【００３７】
これらカム溝水平部５１０４、５１０５及び５２０４、５２０５とカム溝水平部５１０１、５１０２、５１０３及び５２０１、５２０２、５２０３との間において、上述したディスク挿入時におけるディスク誘いを行うために、第１スクリュー部５１０と第２スクリュー部５２０とのカム溝形状が異なっている。
ここで、具体的な回転角（回転領域）と高さの関係についての説明図として図１６に示す。【００３８】
図１６は、第１スクリュー部５１０と第２スクリュー部５２０の外周面部に形成されたカム形状の展開図を示しており、図１６（ａ）は第１スクリュー部５１０の展開図を、図１６（ｂ）は第２スクリュー部５２０の展開図を示すものである。
これら第１スクリュー部５１０及び第２スクリュー部５２０のカム溝水平部５１０１〜５１０５及び５２０１〜５２０５の高さは一致しているが、第１スクリュー部５１０の中央部のカム溝水平部５１１０におけるＣの箇所が始まる角度（図中左側）と第２スクリュー部５２０の中央部のカム溝水平部５２１０におけるＥの箇所が始まる角度（図中左側）が異なっている。【００３９】
ここで、Ａ〜Ｅは各々の回転角（回転幅）を示しており、第１スクリュー部５１０の０°から３６０°方向にＡ，Ｂ，Ｃの順に回転角が形成されており、第２スクリュー部５２０の０°〜３６０°方向にＡ，Ｄ，Ｅの順に回転角が形成されている。
また、Ａは第１スクリュー部５１０と第２スクリュー部５２０とも同一の長さであり、以下の関係式が成立するように形成されている。
（１）Ｂ＋Ｃ＝Ｄ＋Ｅ
（２）Ｂ＞Ｄ
（３）Ｅ＞Ｃ【００４０】
さらに、第１スクリュー部５１０と第２スクリュー部５２０の回転始点は同じであり、０°から３６０°方向に回転する際に、第１スクリュー部５１０に係合する上側再生用ディスク搬送トレー４１０及び下側再生用ディスク搬送トレー４２０の凸部が第１スクリュー部５１０の回転角Ｂ、すなわちカム溝水平部５１１２の終端に差し掛かった時、第２スクリュー部５２０に係合する上側再生用ディスク搬送トレー４１０及び下側再生用ディスク搬送トレー４２０の凸部は第２スクリュー部５２０の回転角Ｅの水平部すなわちカム溝水平部５２１１に下降している。
従って、この位置において上側再生用ディスク搬送トレー４１０及び下側再生用ディスク搬送トレー４２０を傾けることが可能である。【００４１】
第１スクリュー部５１０と、第２スクリュー部５２０の中間部分のカム溝水平部の高さは３ポジション形成しており、カム溝水平部５１１１と５２１１、５１１２と５２１２、５１１３と５２１３の高さはそれぞれ同一であるが、第１スクリュー部５１０と第２スクリュー部５２０はこれら第１スクリュー部のカム溝水平部５１１１及び第２スクリュー部のカム溝水平部５２１１が始まる回転角度が異なるように形成されている。【００４２】
次に、本発明の動作について説明する。
ここで、図１７は、以下の（１）〜（１１）の動作モード時において、上側再生用ディスク搬送トレー４１０及び下側再生用ディスク搬送トレー４２０と第１スクリュー部５１０及び第２スクリュー部５２０との位置関係や、他構成の動作状態等についての動作状態の遷移を示した動作遷移図である。
＜動作モード＞
（１）下側再生部３００にディスクＤ２を挿入（ローディング）
（２）下側再生部３００でのディスクＤ２の保持
（３）下側再生部３００のディスクＤ２をターンテーブル３０２に載置（クランプ）
（４）下側再生部３００のディスクＤ２の再生動作
（５）上側再生部２００にディスクＤ１を挿入（ローディング）
（６）上側再生部２００でのディスクＤ１の保持
（７）上側再生部２００の回動動作前の上側再生用ディスク搬送トレー４０１の退避
（８）上側再生部２００の回動動作
（９）上側再生部２００のディスクＤ１をターンテーブル２０２に載置（クランプ）
（１０）上側再生部２００のディスクＤ１の再生
（１１）下側再生部３００のディスクＤ２を排出（イジェクト）【００４３】
また、図１５及び図１８〜図２５は上側再生部２００と下側再生部３００のディスク挿入からディスク再生までの動作を示すために、上側再生部２００、下側再生部３００、上側再生用ディスク搬送トレー４１０、下側再生用ディスク搬送トレー４２０、板バネ４１１，４１２，４２１，４２２、第１スクリュー部５１０、第２スクリュー部５２０及びディスクＤ１及びＤ２を主な構成として動作遷移を説明する要部説明図である。【００４４】
［１］下側再生部３００の動作
（１）ディスクＤ２の挿入（ローディング）（図１５）
ディスク挿入状態では、上側再生用ディスク搬送トレー４１０は第１スクリュー部５１０のカム溝水平部５１０５、第２スクリュー部５２０のカム溝水平部５２０５に係合している。
また、下側再生用ディスク搬送トレー４２０は、第１スクリュー部５１０のカム溝水平部５１１２、第２スクリュー部５２０のカム溝水平部５２１３に係合することにより、下側再生用ディスク搬送トレー４２０はディスク挿入方向下側に傾きディスクが入り易くなる。
この時、下側再生用ディスク搬送トレー４２０に取り付けられている板バネ４２１，４２２はプレート４０５が図１１の矢印ａ方向に移動、プレート４０６が図１１の矢印ｃ方向に回動することにより板バネ４２１，４２２が上方向に弾性変形し、下側再生用ディスク搬送トレー４２０と板バネ４２１，４２２の間にディスクＤ２が挿入される。【００４５】
（２）ディスクＤ２の保持（図１８）
図１５のＹ方向に第１スクリュー部５１０及び第２スクリュー部５２０を回転させ、上側再生用ディスク搬送トレー４１０をカム溝水平部５１０５，５２０５に、下側再生用ディスク搬送トレー４２０を第１スクリュー部５１０のカム溝水平部５１１２に、下側再生用ディスク搬送トレー４２０を第２スクリュー部５２０のカム溝水平部５２１２まで上昇させる。
これにより下側再生用ディスク搬送トレー４２０は水平になり、この動作に同期して図１２のカムギア２２３を回動させることによりプレート４０５を図１１の矢印ｂ方向に移動、プレート４０６を図１１の矢印ｄ方向に回動させることにより、板バネ４２１、４２２はディスクを保持できる。【００４６】
（３）ディスクＤ２のクランプ（図１９）
図１５のＸ方向に第１スクリュー５１０、第２スクリュー５２０を回転させ、上側再生用ディスク搬送トレー４１０を第１スクリュー５１０のカム溝水平部５１０４、第２スクリュー５２０のカム溝水平部５２０４に、下側再生用ディスク搬送トレー４２０を第１スクリュー５１０のカム溝水平部５１０３、第２スクリュー５２０のカム溝水平部５２０３まで下降させる。
ディスクＤ２は下側再生部３００のターンテーブル３０２に載置され、チャッキングされる（チャッキング機構は図示せず）。これによりディスクＤ２はターンテーブル３０２上に固定される。【００４７】
（４）ディスクＤ２の再生（図２０）
図１５のＸ方向に第１スクリュー５１０、第２スクリュー５２０を回転させ、上側再生用ディスク搬送トレー４１０を第１スクリュー５１０のカム溝水平部５１１１、第２スクリュー５２０のカム溝水平部５２１１に、下側再生用ディスク搬送トレー４２０を第１スクリュー５１０のカム溝水平部５１０２、第２スクリュー５２０のカム溝水平部５２０２まで下降させる。
この時、第１スクリュー５１０、第２スクリュー５２０の回転動作により、図１２のカムギア２２３を回動させる。前述のプレート４０５、プレート４０６の移動動作と同様に板バネ４２１、４２２を弾性変形させることにより下側再生部３００とディスクＤ２から下側トレー４２０を離す（機構は図示せず）。
これにより下側再生部３００はダンパー３０４のみでデッキシャーシ１００と接続しているため、外部振動の影響を受けずに安定したディスク再生が可能となる。【００４８】
［２］上側再生部２００の動作
（１）ディスクＤ１の挿入（ローディング）（図２１）
図１５のＸ方向に第１スクリュー５１０、第２スクリュー５２０を回転させ、上側再生用ディスク搬送トレー４１０を第１スクリュー５１０のカム溝水平部５１１２、第２スクリュー５２０のカム溝水平部５２１３に、下側再生用ディスク搬送トレー４２０を第１スクリュー５１０のカム溝水平部５１０２、第２スクリュー５２０のカム溝水平部５２０２まで下降させる。
上側再生用ディスク搬送トレー４１０は（１）ディスクＤ２の挿入（ローディング）（図１５）における、下側再生用ディスク搬送トレー４２０と同じ状態になり、ディスクＤ１が挿入方向下側に傾き、ディスクＤ１が入り易くなっている。
上側再生用ディスク搬送トレー４１０に固定されている板バネ４１１、４１２もプレート４０５、４０６の同一動作により、上方向に弾性変形しディスクＤ１が挿入される。【００４９】
（２）ディスクＤ１の保持（図２２）
図１５のＹ方向に第１スクリュー５１０、第２スクリュー５２０を回転させ、上側再生用ディスク搬送トレー４１０を第１スクリュー５１０のカム溝水平部５１１２、第２スクリュー５２０のカム溝水平部５２１２に、下側再生用ディスク搬送トレー４２０を第１スクリュー５１０のカム溝水平部５１０２、第２スクリュー５２０のカム溝水平部５２０２まで上昇させる。
この時板バネ４１１、４１２はプレート４０５、４０６が各々図１１のｂ方向、ｄ方向に移動しディスクＤ１を保持する。【００５０】
（３）上側再生用ディスク搬送トレーの退避（図２３）
図１５のＹ方向に第１スクリュー５１０、第２スクリュー５２０を回転させ、（４）ディスクＤ２の再生（図２０）状態と同じ高さまで下側トレー４２０を上昇させる。
上側再生用ディスク搬送トレー４１０が上昇することにより、上側再生部２００が上側再生用ディスク搬送トレー４１０に当接しない高さを確保しているため、上側再生部２００は上側再生用ディスク搬送トレー４１０に当接することなく、ターンテーブル２０２に載置されたディスクＤ２の同軸位置まで回動することができる。【００５１】
（４）ディスクＤ１のクランプ（図２４）
図１５のＸ方向に第１スクリュー５１０、第２スクリュー５２０を回転させ、（２）ディスクＤ１の保持（図２２）状態と同じ高さまで下側トレー４２０を下降させる。
これにより上側トレー４１０上のディスクＤ１は上側再生部２００のターンテーブル２０２に載置されチャッキングされる（チャッキング機構は図示せず）。ディスクＤ１はターンテーブル２０２上に固定される。【００５２】
（５）ディスクＤ１の再生（図２５）
図１５のＸ方向に第１スクリュー５１０、第２スクリュー５２０を回転させ、上側再生用ディスク搬送トレー４１０を第１スクリュー５１０のカム溝水平部５１１３、第２スクリュー５２０のカム溝水平部５２１３に、下側再生用ディスク搬送トレー４２０を第１スクリュー５１０のカム溝水平部５１０１、第２スクリュー５２０のカム溝水平部５２０１まで下降させる。
この時、上側再生用ディスク搬送トレー４１０に取り付けられている板バネ４１１，４１２はプレート４０５が図１１の矢印ａ方向に移動、プレート４０６が図１１の矢印ｃ方向に回動することにより板バネ４１１，４１２が上方向に弾性変形させることにより上側再生部２００とディスクＤ１から第一トレー４１０を離す。これにより上側再生部２００はダンパー２０４のみで振り出しベース２１０と接続しているため、外部振動の影響を受けずに安定したディスク再生が可能となる。【００５３】
上側再生部２００のディスクローディングからディスクＤ１再生までの間、下側再生用ディスク搬送トレー４２０は第１スクリュー５１０のカム溝水平部５１０１または５１０２、第２スクリュー５２０のカム溝水平部５２０１または５２０２に存在するため、板バネ４２１、４２２と下側再生用ディスク搬送トレー４２０は下側再生部３００とディスクＤ２から常に離れており、上記動作に関わらず、継続してディスクＤ２を再生することが可能である。
【図１】
2008078504.tif 000003
【図２】
2008078504.tif 000004
【図３】
2008078504.tif 000005
【図４】
2008078504.tif 000006
【図５】
2008078504.tif 000007
【図６】
2008078504.tif 000008
【図７】
2008078504.tif 000009
【図８】
2008078504.tif 000010
【図９】
2008078504.tif 000011
【図１０】
2008078504.tif 000012
【図１１】
2008078504.tif 000013
【図１２】
2008078504.tif 000014
【図１３】
2008078504.tif 000015
【図１４】
2008078504.tif 000016
【図１５】
2008078504.tif 000017
【図１６】
2008078504.tif 000018
【図１７】
2008078504.tif 000019
【図１８】
2008078504.tif 000020
【図１９】
2008078504.tif 000021
【図２０】
2008078504.tif 000022
【図２１】
2008078504.tif 000023
【図２２】
2008078504.tif 000024
【図２３】
2008078504.tif 000025
【図２４】
2008078504.tif 000026
【図２５】
2008078504.tif 000027
【手続補正書】
【提出日】平成20年12月4日(2008.12.4)
【手続補正１】
【補正対象書類名】特許請求の範囲
【補正対象項目名】全文
【補正方法】変更
【補正の内容】
【特許請求の範囲】
【請求項１】
第１記憶媒体と第２記憶媒体とを挿入する１つの挿入口が形成された筐体と、
上記筐体の内部に設けられ、上記第１記憶媒体の再生を行う第１再生手段と、
上記筐体の内部に設けられ、上記第２記憶媒体の再生を行う第２再生手段と、
上記筐体の内部に設けられ、上記挿入口から挿入された上記第１記憶媒体を上記第１再生手段に搬送し、上記挿入口から挿入された第２記憶媒体を上記第２再生手段に搬送する保持手段とを備え、
上記第１再生手段は、上記筐体内部の角部に設けられた回動軸を中心に、上記挿入口から挿入された第１記憶媒体と略同平面上で回動動作を行うよう形成され、上記保持手段が上記第１記憶手段を上記第１再生手段に搬送する際には、上記筐体の中央に向かって回動し、上記保持手段が上記第２記憶媒体を上記第２再生手段に搬送する際、及び上記保持手段が上記第２記憶媒体を上記第２再生手段から排出する際には、上記筐体の内面に向かって回動することを特徴とする記憶媒体再生装置。
【請求項２】
第２再生手段は装置の一部に固定したことを特徴とする請求項１記載の記憶媒体再生装置。
【請求項３】
第１再生手段は、第１記憶媒体の再生時に第２再生手段と略同軸上に配置されることを特徴とする請求項１記載の記憶媒体再生装置。
【請求項４】
第２再生手段は装置の底部に配置し、第１再生手段は上記第２再生手段よりも上方に配置したことを特徴とする請求項１記載の記憶媒体再生装置。
【請求項５】
保持手段は、第１記憶媒体を保持する第１搬送トレーと、第２記憶媒体を保持する第２搬送トレーと、第１再生手段及び第２再生手段の動作状態に基づき、上記第１記憶媒体または第２記憶媒体が再生されているときの面に対して垂直方向へ、上記第位１搬送トレー及び第２搬送トレーを移動させる移動機構とを備え、
上記移動機構は、上記第１記憶手段を上記第１再生手段に搬送する際、上記第１搬送トレーを上記第１再生手段の方向へ移動させ、上記第２記憶手段を上記第２再生手段に搬送する際、上記第２搬送トレーを上記第２再生手段の方向へ移動させることを特徴とする請求項１記載の記憶媒体再生装置。
【請求項６】
移動機構は、回動量に応じて第１搬送トレー及び第２搬送トレーの設定位置を規制する溝部を形成した棒状のスクリュー部を有することを特徴とする請求項５記載の記憶媒体再生装置。
【請求項７】
スクリュー部は、第１搬送トレー及び第２搬送トレーを支持するよう上記第１搬送トレー及び第２搬送トレーの複数箇所に配設され、
挿入口から挿入された第１記憶媒体が上記第１搬送トレーに置かれる際には、上記スクリュー部の支持位置の高さに差を設け、上記第１搬送トレーに上記第１記憶媒体が当接する面を上記挿入口側に傾斜させ、
上記挿入口から挿入された第２記憶媒体が上記第２搬送トレーに置かれる際には、上記スクリュー部の支持位置の高さに差を設け、上記第２搬送トレーに上記第２記憶媒体が当接する面を上記挿入口側に傾斜させることを特徴とする請求項６記載の記憶媒体再生装置。
【請求項８】
第１再生手段の再生動作により得られた第１記憶媒体の再生情報を記憶し出力する記憶手段を設け、
上記第１再生手段が再生動作中に、第２再生手段に搭載された第２記憶媒体を排出する際は、上記第１再生手段の再生動作を一旦中断し、再生が中断された第１記録媒体を上記第２記憶媒体が排出できる位置に移動させた後に、上記挿入口から上記第２記録媒体を排出させるとともに、上記第１再生手段が再生動作中断中も上記記憶手段から上記再生情報の出力を継続することを特徴とする請求項１に記載の記憶媒体再生装置。
【手続補正書】
【提出日】平成21年5月7日(2009.5.7)
【手続補正１】
【補正対象書類名】特許請求の範囲
【補正対象項目名】全文
【補正方法】変更
【補正の内容】
【特許請求の範囲】
【請求項１】
第１記憶媒体と第２記憶媒体とを挿入する１つの挿入口が形成された筐体と、
上記筐体の内部に設けられ、上記第１記憶媒体の再生を行う第１再生手段と、
上記筐体の内部に設けられ、上記第２記憶媒体の再生を行う第２再生手段と、
上記筐体の内部に設けられ、上記挿入口から挿入された上記第１記憶媒体を上記第１再生手段に搬送し、上記挿入口から挿入された第２記憶媒体を上記第２再生手段に搬送する保持手段とを備え、
上記第１再生手段は、上記筐体内部の角部に設けられた回動軸を中心に、上記挿入口から挿入された第１記憶媒体と略平行な面上で回動動作を行うよう形成され、上記保持手段が上記第１記憶媒体を上記第１再生手段に搬送する際には、上記筐体の中央に向かって回動し、上記保持手段が上記第２記憶媒体を上記第２再生手段に搬送する際、及び上記保持手段が上記第２記憶媒体を上記第２再生手段から排出する際には、上記筐体の内面に向かって回動することを特徴とする記憶媒体再生装置。
【請求項２】
第２再生手段は装置の一部に固定したことを特徴とする請求項１記載の記憶媒体再生装置。
【請求項３】
第１再生手段は、第１記憶媒体の再生時に第２再生手段と略同軸上に配置されることを特徴とする請求項１記載の記憶媒体再生装置。
【請求項４】
第２再生手段は装置の底部に配置し、第１再生手段は上記第２再生手段よりも上方に配置したことを特徴とする請求項１記載の記憶媒体再生装置。
【請求項５】
保持手段は、第１記憶媒体を保持する第１搬送トレーと、第２記憶媒体を保持する第２搬送トレーと、第１再生手段及び第２再生手段の動作状態に基づき、上記第１記憶媒体または第２記憶媒体が再生されているときの面に対して垂直方向へ、上記第位１搬送トレー及び第２搬送トレーを移動させる移動機構とを備え、
上記移動機構は、上記第１記憶媒体を上記第１再生手段に搬送する際、上記第１搬送トレーを上記第１再生手段の方向へ移動させ、上記第２記憶媒体を上記第２再生手段に搬送する際、上記第２搬送トレーを上記第２再生手段の方向へ移動させることを特徴とする請求項１記載の記憶媒体再生装置。
【請求項６】
移動機構は、回動量に応じて第１搬送トレー及び第２搬送トレーの設定位置を規制する溝部を形成した棒状のスクリュー部を有することを特徴とする請求項５記載の記憶媒体再生装置。
【請求項７】
スクリュー部は、第１搬送トレー及び第２搬送トレーを支持するよう上記第１搬送トレー及び第２搬送トレーの複数箇所に配設され、
挿入口から挿入された第１記憶媒体が上記第１搬送トレーに置かれる際には、上記スクリュー部の支持位置の高さに差を設け、上記第１搬送トレーに上記第１記憶媒体が当接する面を上記挿入口側に傾斜させ、
上記挿入口から挿入された第２記憶媒体が上記第２搬送トレーに置かれる際には、上記スクリュー部の支持位置の高さに差を設け、上記第２搬送トレーに上記第２記憶媒体が当接する面を上記挿入口側に傾斜させることを特徴とする請求項６記載の記憶媒体再生装置。
【請求項８】
第１再生手段の再生動作により得られた第１記憶媒体の再生情報を記憶し出力する記憶手段を設け、
上記第１再生手段が再生動作中に、第２再生手段に搭載された第２記憶媒体を排出する際は、上記第１再生手段の再生動作を一旦中断し、再生が中断された第１記録媒体を上記第２記憶媒体が排出できる位置に移動させた後に、上記挿入口から上記第２記録媒体を排出させるとともに、上記第１再生手段が再生動作中断中も上記記憶手段から上記再生情報の出力を継続することを特徴とする請求項１〜４のいずれかに記載の記憶媒体再生装置。
【国際調査報告】
2008078504.tif 000028
2008078504.tif 000029
2008078504.tif 000030
2008078504.tif 000031